(57)【要約】      （修正有）【課題】使用者の健康管理の一助となり得る室内環境表示装置を提供する。【解決手段】使用者が居住する室内の環境情報を、使用者の選択によりディスプレイ装置１０１に表示する室内環境表示装置１ａであって、画像を表示可能な表示部を有するディスプレイ装置と、ディスプレイ装置が設置された室内の環境情報に応じた電気信号を生成可能な検出回路１２４を有し、検出回路により生成された電気信号を環境情報として出力する室内環境情報測定部１０２と、使用者により操作されて起動信号を出力する操作部１０３と、起動信号に応じて作動して、室内環境情報測定部から環境情報を取得するとともに、環境情報をディスプレイ装置に対する指令信号に変換して出力する制御部１０４とを備える。制御部は、任意の時間間隔で居住環境条件と室内の環境情報に関する情報とを対比させ室内の環境情報を判定するとともに、室内の現在の環境情報の判定結果をディスプレイ装置に出力させる。【選択図】図２
0003235417.tif 000002
【実用新案登録請求の範囲】
【請求項１】
画像を表示可能な表示部を有するディスプレイ装置と、
前記ディスプレイ装置が設置された室内の環境情報に応じた電気信号を生成可能な回路部を有し、前記回路部により生成された電気信号を室内環境情報として出力する室内環境情報測定部と、
前記ディスプレイ装置とは別体に設けられ、使用者により操作されて起動信号を出力する操作部と、
前記起動信号に応じて作動して、前記室内環境情報測定部から前記環境情報を取得するとともに、前記環境情報を前記ディスプレイ装置に対する指令信号に変換して出力する制御部と、
を備え、
前記ディスプレイ装置は、前記指令信号に応じて作動して、前記表示部に前記環境情報に応じた画像を表示するものであり、
前記制御部は、あらかじめ設定された任意の時間間隔で前記室内環境情報測定部を作動させる指令信号を前記室内環境情報測定部に対して出力するものであり、且つ、室内の居住に適した居住環境条件に関する情報を有し、前記任意の時間間隔で前記居住環境条件と前記室内の環境情報に関する情報とを対比させ前記室内の環境情報を判定するとともに、室内の現在の環境情報の判定結果を前記ディスプレイ装置に対する指令信号に変換して出力するものであり、
前記任意の時間間隔は、前記使用者が前記時間間隔を設定する権限を有すると前記制御部が認証した場合のみ設定することができる。
ことを特徴とする室内環境表示装置。
【請求項２】
前記室内環境情報測定部は、前記ディスプレイ装置に内蔵されていることを特徴とする、請求項１に記載の室内環境表示装置。
【請求項３】
前記室内環境情報測定部は、前記ディスプレイ装置とは別体に設けられ、且つ、前記環境情報を無線により出力する送信器を備え、
前記制御部は、前記環境情報を受信する受信器と、前記受信器により受信された環境情報、および、室内の現在の環境情報を前記指令信号に変換する信号変換器と、を備えることを特徴とする、請求項１に記載の室内環境表示装置。
【請求項４】
前記室内環境情報測定部の前記回路部は、室内の温度を測定する温度測定部と、室内の湿度を測定する湿度測定部と、室内の気流を測定する気流測定部と、を備えていることを特徴とする、請求項１、２又は３に記載の室内環境表示装置。
【請求項５】
前記ディスプレイ装置は、室内の現在の環境情報に応じて、前記使用者に対し注意喚起をするために、前記使用者の注意を惹き易い態様による警告を行うことを特徴とする、請求項１、２、３又は４に記載の室内環境表示装置。
【請求項６】
前記ディスプレイ装置は、テレビ受像機であることを特徴とする、請求項１、２、３、４又は５に記載の室内環境表示装置。
【請求項７】
前記操作部は、前記テレビ受像機のリモコン操作器に備わることを特徴とする、請求項６に記載の室内環境表示装置。
【考案の詳細な説明】
【技術分野】
【０００１】
本考案は、室内環境、特に使用者が居住する部屋の温度または湿度を、使用者の選択によりディスプレイ装置に表示する室内環境表示装置に関する。
【背景技術】
【０００２】
テレビ放送等の映像または画像を視認している際に、使用者が居住する部屋の温度または湿度を、リモコン操作器等の操作により、必要に応じて画面に表示することができると便利である。特に感染症拡大下において、高齢者等、感染症に対する免疫力が比較的低い使用者の場合は、温度または湿度等の室内環境の変化に対する注意喚起を行うことが、感染防止および健康維持のために望ましい。
【０００３】
特許文献１には、テレビ放送の視聴時に、表示部から視聴者までの距離（視聴距離）に応じて画面に字幕を表示し、音声情報を字幕により補完可能とした放送受信装置が開示されている。
【先行技術文献】
【特許文献】
【０００４】
【特許文献１】特開２０１２−０６０３００号公報
【考案の概要】
【考案が解決しようとする課題】
【０００５】
しかし、前掲特許文献１の放送受信装置は、視聴者が表示部から離れ、テレビ放送の音声情報を聞き取り難い場合に、字幕により情報を付加ないし補完することで、視聴者による放送内容の理解を促すものである。よって、視聴者ないし使用者の健康管理の一助となることを想定したものではない。
【０００６】
そこで、本考案は、使用者が居住する室内の環境情報を、使用者の選択によりディスプレイ装置に表示することで、使用者の健康管理の一助となり得る室内環境表示装置を提供することを目的とする。
【課題を解決するための手段】
【０００７】
請求項１に記載の考案にあっては、画像を表示可能な表示部を有するディスプレイ装置と、前記ディスプレイ装置が設置された室内の環境情報に応じた電気信号を生成可能な回路部を有し、前記回路部により生成された電気信号を室内環境情報として出力する室内環境情報測定部と、前記ディスプレイ装置とは別体に設けられ、使用者により操作されて起動信号を出力する操作部と、前記起動信号に応じて作動して、前記室内環境情報測定部から前記環境情報を取得するとともに、前記環境情報を前記ディスプレイ装置に対する指令信号に変換して出力する制御部と、を備え、前記ディスプレイ装置は、前記指令信号に応じて作動して、前記表示部に前記環境情報に応じた画像を表示するものであり、前記制御部は、あらかじめ設定された任意の時間間隔で前記室内環境情報測定部を作動させる指令信号を前記室内環境情報測定部に対して出力するものであり、且つ、室内の居住環境条件に関する情報を有し、前記任意の時間間隔で前記居住環境条件と前記室内の環境情報に関する情報とを対比させ前記室内の環境情報を判定するとともに、室内の現在の環境情報の判定結果を前記ディスプレイ装置に対する指令信号に変換して出力するものであり、前記任意の時間間隔は、前記使用者が前記時間間隔を設定する権限を有すると前記制御部が認証した場合のみ設定することができることを特徴とする。
【０００８】
請求項２に記載の考案にあっては、前記室内環境情報測定部は、前記ディスプレイ装置に内蔵されていることを特徴とする。
【０００９】
請求項３に記載の考案にあっては、前記室内環境情報測定部は、前記ディスプレイ装置とは別体に設けられ、且つ、前記環境情報を無線により出力する送信器を備え、前記制御部は、前記環境情報を受信する受信器と、前記受信器により受信された環境情報、および、室内の現在の環境情報を前記指令信号に変換する信号変換器と、を備えることを特徴とする。
【００１０】
請求項４に記載の考案にあっては、前記室内環境情報測定部の前記回路部は、室内の温度を測定する温度測定部と、室内の湿度を測定する湿度測定部と、室内の気流を測定する気流測定部と、を備えていることを特徴とする。
【００１１】
請求項５に記載の考案にあっては、前記ディスプレイ装置は、室内の現在の環境情報に応じて、前記使用者に対し注意喚起をするために、前記使用者の注意を惹き易い態様による警告を行うことを特徴とする。
【００１２】
請求項６に記載の考案にあっては、前記ディスプレイ装置は、テレビ受像機であることを特徴とする。
【００１３】
請求項７に記載の考案にあっては、前記操作部は、前記テレビ受像機のリモコン操作器に備わることを特徴とする。
【考案の効果】
【００１４】
請求項１に記載の考案によれば、制御部は、時間間隔を設定する権限を有すると制御部が認証した者のみが、あらかじめ設定することができる任意の時間間隔で室内環境情報測定部を作動させるとともに、上記時間間隔で、室内環境情報測定部により取得された室内環境情報を、あらかじめ有する室内の居住環境条件に関する情報と対比させて判定し、判定結果をディスプレイ装置に出力する。従って、使用者が居住する室内の環境情報が、居住者にとって、好適であるのか、不快な環境であるか、又は居住には危険な環境であるのかが、任意の時間間隔で自動的に表示されることから、部屋の居住者、特に高齢者の健康管理の一助となり、使用者の健康の維持および増進を図ることが可能となる。
特に、任意の時間間隔で使用者に対し、室内の現在の環境情報が使用者の健康に及ぼす影響に関する認識を促し、かかる影響を回避するための対策を行うことを喚起すことが可能となることから、使用者の健康の維持および増進を、より一層図ることが可能となる。
また、任意の時間間隔は、使用者が時間間隔を設定する権限を有する者（例えば、正規のＩＤおよびパスワードを入力した者）であることを制御部が認証した場合のみ時間間隔を任意に設定することができるものであることから、容易に時間間隔の変更がし難くなり、居住者（特に、高齢者）の安全の確保を図ることが可能となる。なお、時間間隔を設定する権限を一部の者（例えば、高齢者、幼児等を監護する者）に付与しておけば、その者のみが任意の時間間隔を設定することが可能となることから、居住者の安全の確保を、より一層図ることが可能となる。
【００１５】
請求項２に記載の考案によれば、室内環境情報測定部がディスプレイ装置に内蔵されていることで、室内環境表示装置全体をシンプルな構成にまとめることが可能となる。
【００１６】
請求項３に記載の考案によれば、室内環境情報測定部がディスプレイ装置とは別体に設けられることで、ディスプレイ装置からの発熱の影響が室内環境情報測定部の動作に及ぶのを回避することが可能となる。
【００１７】
請求項４に記載の考案によれば、室内環境情報測定部の回路部が、温度測定部と、湿度測定部と、気流測定部とを備え、室内の温度、湿度、および、気流に応じた電気信号を生成することで、使用者に温熱感覚を与えるものであり且つ室内の現在の環境情報を判定する要素である、室内温度、室内湿度、および、室内気流を測定し、使用者に対し、健康管理に特に有益な情報を表示することが可能となる。
【００１８】
請求項５に記載の考案によれば、ディスプレイ装置が、室内の現在の環境情報に応じて、使用者に対し注意喚起をするために、使用者の注意を惹き易い態様による警告を行うことで、使用者に対し、室内の現在の環境情報が、使用者の健康に及ぼす影響に関する認識を、より確実に促し、かかる影響を回避するための対策を行うことを喚起すことが、より一層可能となる。
ここで、使用者の注意を惹き易い態様による警告は、例えば、室内の現在の環境情報を表示部に表示する際、通常よりも大きく表示する、音声により警告する、または、通常よりも大きく表示するとともに音声により警告する等が可能である。
【００１９】
請求項６に記載の考案によれば、ディスプレイ装置がテレビ受像機であることで、使用者は、テレビ放送を視聴しながら、迅速且つ容易に、室内の環境情報、および、室内の現在の環境情報を随時確認することが可能となる。これにより、特に高齢者である使用者に対し、自宅の部屋でテレビ放送を視聴する日常のなかで、環境情報、および、室内の現在の環境情報をテレビ受像機の画面上で常時確認し、自身の健康管理に反映させるように促すことが可能となる。
【００２０】
請求項７に記載の考案によれば、操作部がテレビ受像機のリモコン操作器に備わることで、テレビ放送の視聴と、環境情報の表示、および、室内の現在の環境情報との、それぞれの操作のために個別の機器を用意することを不要として、使い勝手の向上を図るとともに、操作が煩雑となるのを回避することが可能となる。
【図面の簡単な説明】
【００２１】
【図１】図１は、本考案の一実施形態に係る室内環境表示装置の構成を示す概略図である。
【図２】図２は、同上実施形態に係る室内環境表示装置の構成をより詳細に示す模式図である。
【図３】図３は、図２における制御部の制御回路の構成をより詳細に示すブロック図である。
【図４】図４は、同上実施形態に係る室内環境表示装置に備わるディスプレイ装置の画面に表示される画像の一例を示す概略図である。
【図５】図５は、同上実施形態に係る室内環境表示装置における制御部の動作を示すフローチャートである。
【図６】図６は、本考案の他の実施形態に係る室内環境表示装置の構成を示す概略図であり、図６（ａ）は、室内環境表示装置全体の構成を示し、図６（ｂ）は、センサー装置の構成を示す。
【図７】図７は、同上実施形態に係る室内環境表示装置におけるセンサー装置および制御部の動作を示すフローチャートである。
【考案を実施するための形態】
【００２２】
以下に図面を参照して、本考案の実施の形態について説明する。
【００２３】
図１は、本考案の一実施形態に係る室内環境表示装置１ａの構成を示す概略図、図２は、本実施形態に係る室内環境表示装置１ａの構成を、室内環境情報測定部１０２、および、制御部１０４の内部構成を示すことでより詳細に示す模式図、図３は、制御部１０４の制御回路１４３の構成をより詳細に示すブロック図である。
【００２４】
図１において、本実施形態に係る室内環境表示装置１ａは、室内環境情報測定部１０２、および、制御部１０４の機能をディスプレイ装置１０１とは別体のものとして構成される機器に持たせた場合の一例である。後に述べるように、室内環境表示装置１ａの構成は、これに限定されるものではなく、これらの機能をディスプレイ装置１０１自体に持たせること、換言すれば、室内環境情報測定部１０２をディスプレイ装置１０１に内蔵したり、室内環境情報測定部１０２に代えるか、または、室内環境情報測定部１０２に加えて、制御部１０４をディスプレイ装置１０１に内蔵したりすることも可能である。
【００２５】
室内環境表示装置１ａは、大別すると、ディスプレイ装置１０１と、室内環境情報測定部１０２と、操作部１０３と、制御部１０４とを備える。本実施形態では、これらの要素１０１〜１０４を無線により連係可能とするが、これらの全て、または、これらのうち任意の２つ、または、３つをケーブル等により有線接続可能でもよい。
【００２６】
ディスプレイ装置１０１は、表示部１１１と、筐体１１２とを有する。表示部１１１は、液晶方式、または、有機ＥＬ方式等、各種方式により映像ないし画像を表示可能である。本実施形態において、ディスプレイ装置１０１は、テレビ受像機であり、テレビ放送アンテナを内蔵する。表示部１１１は、ディスプレイ装置１０１がこのテレビ放送アンテナにより受信したテレビ放送を表示する。さらに、表示部１１１は、視聴者に対して横方向に長い矩形状をなし、筐体１１２は、矩形状の表示部１１１をその外周全体に亘って包囲する。また、ディスプレイ装置１０１は、音声を発するスピーカー１１３を有する（図４参照）。
【００２７】
本実施形態では、ディスプレイ装置１０１が「ディスプレイ装置」に相当し、表示部１１１が「表示部」に相当する。
【００２８】
室内環境情報測定部１０２は、ディスプレイ装置１０１が設置されているのと同じ部屋に設置され、その室内の環境情報を電気的に検出する、所謂、センサー（センサー装置）である。室内環境情報測定部１０２の設置は、卓上配置方式、または、壁掛方式等、各種方式によることが可能である。
本実施形態において、室内環境情報測定部１０２は、室内の環境情報として、室内の温度Ｔ［℃］、湿度Ｈ［％］、および、気流Ｖ［ｍ／秒］を検出する。図１は、室内環境情報測定部１０２に備わる液晶表示部に、温度Ｔとして「３５℃」が、湿度Ｈとして「７０％」が、気流Ｖとして「０．１ｍ／秒」が、上下並列に表示されている例を示す。
室内環境は、温度、湿度及び気流により決定されることから、本実施の形態にあっては、これらすべての情報に対応している。
【００２９】
図２に示すように、室内環境情報測定部１０２は、室内の温度Ｔに対する感応性を有する温度測定部１２１と、室内の湿度Ｈに対する感応性を有する湿度測定部１２２と、室内の気流Ｖに対する感応性を有する気流測定部１２３とを有するとともに、温度測定部１２１、湿度測定部１２２、および、気流測定部１２３それぞれの状態に応じた電気信号を生成する検出回路１２４と、外部から送信された無線信号を受信するとともに、検出回路１２４により検出された電気信号を無線信号に変換し、環境情報として送信する送受信器１２５とを有する。
【００３０】
温度測定部１２１は、所謂、温度センサーであり、例えば、熱電対、サーミスタ、または、白金測温抵抗体等により構成される。湿度測定部１２２は、所謂、湿度センサーであり、例えば、抵抗式湿度センサー、または、容量式湿度センサーにより構成される。気流測定部１２３は、所謂、気流センサーである。
【００３１】
本実施形態では、室内環境情報測定部１０２が「室内環境情報測定部」に相当し、温度測定部１２１、湿度測定部１２２、気流測定部１２３、および、検出回路１２４が「回路部」に相当する。また、温度測定部１２１が「温度測定部」に、湿度測定部１２２が「湿度測定部」に、気流測定部１２３が「気流測定部」にそれぞれ相当する。
【００３２】
操作部１０３は、使用者、本実施形態では、テレビ受像機であるディスプレイ装置１０１の視聴者により操作され、次に述べる制御部１０４に対する起動信号を出力する。本実施形態において、操作部１０３は、ディスプレイ装置１０１とは別体に設けられ、ディスプレイ装置１０１を離れた位置から視聴する使用者によりリモート操作が可能である。
【００３３】
具体的には、操作部１０３は、ディスプレイ装置１０１（つまり、テレビ受像機）のリモコン操作器により形成され、室内環境表示装置１ａの起動信号を生成し、および、出力するための専用のボタン１３１を有する。この専用のボタン１３１は、テレビ受像機のチャンネル操作のために備わるボタン等とは別個に設けられ、操作部１０３は、使用者がボタン１３１を押すことにより室内環境表示装置１ａの起動信号を生成し、制御部１０４に向けてこれを出力するように構成されている。
【００３４】
本実施形態では、操作部１０３ないしリモコン操作器が「操作部」に相当する。
【００３５】
制御部１０４は、操作部１０３により出力された起動信号に応じて作動して、室内環境情報測定部１０２から無線信号を受信するとともに、この無線信号を電気的に変換して、環境情報（室内の温度Ｔ、湿度Ｈ、および、気流Ｖ）を取得する。
本実施形態において、制御部１０４は、ディスプレイ装置１０１、室内環境情報測定部１０２、および、操作部１０３のいずれとも別体のものとして構成され、操作部１０３から起動信号を受信するとともに、取得された環境情報をディスプレイ装置１０１に対する指令信号に変換し、変換後の指令信号を無線によりディスプレイ装置１０１に送信する。さらに、制御部１０４は、室内の居住に適した居住環境条件に関する情報を有し、一般的に、居住者が快、不快を感じる居住環境条件、及び生命に危険性があると推定される室内の居住環境条件と、その時点での室内の環境情報に関する情報とを対比させ、室内の現在の環境情報を判定するとともに、判定された室内の現在の環境情報をディスプレイ装置１０１に対する指令信号に変換し、変換後の指令信号を無線によりディスプレイ装置１０１に送信する。
【００３６】
具体的には、制御部１０４は、操作部１０３からの起動信号、および、室内環境情報測定部１０２からの変換前の環境情報（入力無線信号）を受信する第１送受信器１４１と、変換後の指令信号（出力無線信号）を送信する第２送受信器１４２とを備えるとともに、居住環境条件、および、室内の現在の環境情報を指令信号に変換するとともに、第１送受信器１４１、および、第２送受信器１４２の動作を制御する制御回路１４３を備える。
制御回路１４３は、室内の居住環境条件に関する情報を記憶する（保有する）記憶部１４４と、居住環境条件と室内の実際の環境情報とを対比させ室内の現在の環境情報を判定する判定部１４５と、あらかじめ設定された任意の測定・表示時間間隔（以下、適宜、「時間間隔」と言う）で室内環境情報測定部１０２を作動させるとともに、判定部１４５に上記判定を行わせる測定・表示作動制御部１４６と、使用者が上記時間間隔を設定する権限を有する者であることを認証した場合のみ時間間隔を設定することを可能とする認証部１４７とを備える。
【００３７】
図３に示すように、記憶部１４４は、室内の居住者が快適であると感じる居住環境条件、不快であると感じる居住環境条件及び、室内の居住者が危険な状態となる居住環境条件に関する公式的な居住環境条件に関する情報を有している。
これらの「Ａ：居住者が快適であると感じる居住環境条件」、「Ｂ：居住者が不快であると感じる居住環境条件」、「Ｃ：所定時間継続すると居住者の生命に危険が迫る可能性のある居住環境情報」に関する情報は、それぞれの環境情報を判定するための要件となる環境条件（室内の温度Ｔ、湿度Ｈ、および、気流Ｖ）の所定の数値範囲が設定されている。
判定部１４５は、あらかじめ設定された任意の時間間隔（例えば、３０分間隔）で、室内環境情報測定部１０２から取得した現在の環境情報と、記憶部１４４が保有する室内の居住環境条件に関する情報とを対比させ、例えば、現在の環境情報が、上記「Ｃ」の環境情報に該当する所定の数値範囲内にあるとき、室内の現在の環境情報が「所定時間継続すると居住者の生命に危険が迫る可能性のある環境情報」であると判定する。
測定・表示作動制御部１４６は、任意の時間間隔（例えば、３０分間隔）で室内環境情報測定部１０２を作動させる指令信号を室内環境情報測定部１０２に対して出力するとともに、上記時間間隔で判定部１４５にて上記判定を行わせる指令信号を判定部１４５に対して出力する。
認証部１４７は、使用者が上記時間間隔を設定する権限を有する者であるか否かを判断する。より具体的には、例えば、時間間隔を設定する際に入力を必要とするＩＤおよびパスワードを、あらかじめ設定しておき、使用者が正規のＩＤおよびパスワードを入力した場合のみ、時間間隔を設定する権限を有する者であることを認証する。使用者が時間間隔を設定する権限を有する者であることを認証部１４７が認証すると、時間間隔を、例えば、３０分間隔、６０分間隔、９０分間隔、１２０分間隔・・・等、任意に設定することができる。
【００３８】
制御部１０４が室内環境情報測定部１０２等、他の周辺機器との間で行う通信には、ブルートゥース（登録商標）方式等、各種通信方式を採用することが可能である。本実施形態では、入力側と出力側とのそれぞれに送受信器１４１、１４２を備える例を示すが、このような構成に限らず、これら２つの送受信器１４１、１４２を１つの送受信器により具現することも可能である。
【００３９】
本実施形態では、室内環境情報測定部１０２に備わる送受信器１２５が「送信器」に相当し、制御部１０４に備わる第１送受信器１４１が「受信器」に、制御回路１４３が「信号変換器」にそれぞれ相当する。
【００４０】
ディスプレイ装置１０１は、制御部１０４により出力された指令信号を受信するとともに、指令信号に応じて作動して、表示部１１１に、環境情報に応じた画像や、室内の現在の環境情報を表示する。また、ディスプレイ装置１０１は、室内の現在の環境情報を音声により使用者に通知する。
【００４１】
図４は、本実施形態に係る室内環境表示装置１ａに備わるディスプレイ装置１０１の表示部１１１に表示される画像、および、ディスプレイ装置１０１のスピーカー１１３から発せられる音声の一例を示す概略図である。
【００４２】
本実施形態において、ディスプレイ装置１０１は、表示部１１１に、テレビ放送の映像ないし画像を表示する領域（以下「残余領域」という場合がある）Ｒｒのほか、室内の温度Ｔ、湿度Ｈ、および、気流Ｖを数字で表示する第１領域Ｒ１と、室内の現在の環境情報、および、使用者に対する注意喚起のための付加情報を文字で表示する第２領域Ｒ２とを有する。
【００４３】
図４は、第１領域Ｒ１、および、第２領域Ｒ２が、いずれも使用者からみて横長の形状を有する帯状の領域として構成され、数字を表示する第１領域Ｒ１が文字を表示する第２領域Ｒ２よりも上方に位置する場合の例を示す。その他、表示部１１１に設けられる領域Ｒ１、Ｒ２は、このような構成に限らず、帯状以外の形状を有するものであってもよい。さらに、文字を表示する第２領域Ｒ２を、数字を表示する第１領域Ｒ１よりも上方に配置することも可能である。
【００４４】
本実施形態では、第１領域Ｒ１において、環境情報に応じた画像として、室内の温度Ｔ、湿度Ｈ、および、気流Ｖを、例えば、次に示すように数字により表示する。
「３５℃／湿度７０％／０．１ｍ／秒」
【００４５】
また、第２領域Ｒ２において、室内の現在の環境情報を文字により表示する。ここで、室内の現在の環境情報を使用者に理解し易いように、例えば、「Ａ：居住者が快適であると感じる環境情報」の場合は「快適レベルです。」と、「Ｂ：居住者が不快であると感じる環境情報」の場合は「不快レベルです。」と、「Ｃ：所定時間継続すると居住者の生命に危険が迫る可能性のある環境情報」の場合は「危険レベルです。」と、それぞれ表示することが可能である。例えば、温度Ｔが「３５℃」、湿度Ｈが「湿度７０％」、および、気流Ｖが「０．１ｍ／秒」の環境が、上記「Ｃ」の環境情報に該当する場合、次に示す文字により表示する。「危険レベルです。」
【００４６】
また、第２領域Ｒ２において、使用者に対する注意喚起のための付加情報を、上記室内の現在の環境情報を示す文字に併記して、例えば、次に示す文字により表示する。
「熱中症に注意してください。」
【００４７】
また、ディスプレイ装置１０１のスピーカー１１３にて、上記室内の現在の環境情報、および、使用者に対する注意喚起のための付加情報を、例えば、次に示す音声により警告する。「危険レベルです。熱中症に注意してください！」
【００４８】
さらに、本実施形態では、表示部１１１の第１領域Ｒ１において、環境情報に応じた画像として、室内の温度Ｔ、湿度Ｈ、および、気流Ｖを、その値に応じて異なる色、または、大きさを付して表示する。
例えば、室内の温度Ｔ、および、湿度Ｈを示す数値が高く、気流Ｖを示す数値が低く、「所定時間継続すると居住者の生命に危険が迫る可能性のある環境情報」にあるとき、熱中症を発症する危険性が高まるとして、第１領域Ｒ１の面積を拡大して、室内の温度Ｔ、湿度Ｈ、および、気流Ｖを示す数字を大きく表示するとともに、第１領域Ｒ１における数字の背景色をより赤みの強い色に変更する。第１領域Ｒ１における数字の色とその背景色とは、異なる色に設定することが可能である。
一方、例えば、室内の温度Ｔ、および、湿度Ｈを示す数値が低く、気流Ｖを示す数値が比較的高い場合、低体温症を発症する危険性が高まるとして、「所定時間継続すると居住者の生命に危険が迫る可能性のある環境情報」であると言える。そこで、第１領域Ｒ１の面積を拡大して、室内の温度Ｔ、湿度Ｈ、および、気流Ｖを示す数字を大きく表示するとともに、第１領域Ｒ１における数字の背景色をより青みの強い色に変更する。背景色を変更することに代えて、室内の温度Ｔ、湿度Ｈ、または、気流Ｖを示す数字自体の色をそれぞれの値に応じて変更することも可能である。
【００４９】
第１領域Ｒ１に示す数字の色または大きさの変更に併せ、第２領域Ｒ２において、室内の現在の環境情報、および、使用者に対する注意喚起のための付加情報を示す文字の色または大きさを変更したり、第２領域Ｒ２における文字の背景色を変更したりすることも可能である。
【００５０】
さらに、領域Ｒ１、Ｒ２の色、または、大きさを変更することに代えるか、または、これに加え、領域Ｒ１、Ｒ２を表示する位置を変更することも可能である。具体的には、温度Ｔ、および、湿度Ｈを示す数値が高く、気流Ｖを示す数値が低い場合等、室内の現在の環境情報が「所定時間継続すると使用者の生命に危険が迫る可能性のある環境情報」であり、使用者の健康に与える影響が大きいと判断される場合に、領域（例えば、第２領域Ｒ２）を表示する際の面積を拡大するとともに、その位置を使用者の注意を、より惹き易い表示部１１１の画面中央寄りに変更する。
【００５１】
本実施形態では、以上のような、使用者の注意を惹き易い態様による文字や音声の警告を、あらかじめ設定された任意の時間間隔（例えば、３０分間隔）で自動的に行う（一例であるものとする。その他、６０分間隔、９０分間隔、１２０分間隔・・・等、任意の時間間隔に設定することができる）。
なお、以上のような、使用者の注意を惹き易い態様による文字や音声の警告は、文字のみ、または、音声のみで行うことが可能な他、文字を表示するとともに音声による警告を行うことが可能である。このような態様による警告は、「所定時間継続すると使用者の生命に危険が迫る可能性のある環境情報」の場合、使用者に対して注意、対策を喚起するのに有効である。
【００５２】
図５は、本実施形態に係る室内環境表示装置１ａにおける制御部１０４の動作を示すフローチャートである。図５は、制御部１０４の動作をＳ４〜Ｓ８に示し、説明の便宜上、使用者が行う操作をＳ１〜Ｓ３に、使用者による操作の結果としてディスプレイ装置１０１が行う動作をＳ９に示す。
【００５３】
Ｓ１では、使用者が測定・表示時間間隔（時間間隔）を設定するため、ＩＤおよびパスワードを入力し、時間間隔を設定する権限を有する者であることの認証を行う。
Ｓ２では、使用者が時間間隔を設定する。本実施形態では、例えば、「３０分間隔」と設定する。
なお、Ｓ１におけるＩＤおよびパスワードの入力、Ｓ２における時間間隔の設定は、使用者が操作部１０３に備わるボタン１３１を操作することにより行う。
Ｓ３では、使用者が操作部１０３に備わるボタン１３１を操作する。これにより、操作部１０３は、制御部１０４に対する起動信号を生成し、送信する。
なお、時間間隔の変更が不要な場合は、Ｓ１〜Ｓ２をスキップし、Ｓ３からスタートしてもよいものとする。  
【００５４】
Ｓ４では、操作部１０３により送信された起動信号を受信する。
【００５５】
Ｓ５では、室内環境情報測定部１０２と通信し、室内環境情報測定部１０２に対して環境情報の無線送信を促すとともに、室内環境情報測定部１０２から送信された環境情報を受信する。
【００５６】
Ｓ６では、判定部１４５において、受信された環境情報と、記憶部１４４が保有する室内の居住環境条件に関する情報とを対比し、室内の現在の環境情報を判定する。
【００５７】
Ｓ７では、受信された環境情報、および、判定された室内の現在の環境情報を変換して、ディスプレイ装置１０１に対する指令信号を生成する。
【００５８】
Ｓ８では、生成された指令信号を出力する。
【００５９】
Ｓ９では、ディスプレイ装置１０１が指令信号を受信し、表示部１１１に、環境情報、室内の環境情報、および、使用者に対する注意喚起のための付加情報（以上を、「環境情報等」と言うものとする）を表示する。また、ディスプレイ装置１０１のスピーカー１１３にて、室内の環境情報、および、上記付加情報を音声により通知する。
【００６０】
本実施形態に係る室内環境表示装置１ａは、以上の構成を有し、以下に、本実施形態により得られる効果について説明する。
【００６１】
テレビ放送等の映像または画像を視認している際に、使用者が居住する部屋の温度または湿度を、テレビ受像機のリモコン操作器等の操作により、必要に応じて画面に表示することができると便利である。特に感染症拡大下において、高齢者等、感染症に対する免疫力が比較的低い使用者の場合は、温度または湿度等の室内環境の変化に対する注意喚起を行うことが、感染防止および健康維持のために望ましい。
【００６２】
これに対し、本実施形態によれば、制御部１０４は、測定・表示時間間隔（時間間隔）を設定する権限を有すると認証部１４７が認証した者のみが、あらかじめ設定することができる任意の時間間隔で室内環境情報測定部１０２を作動させるとともに、上記時間間隔で、室内環境情報測定部１０２により取得された室内環境情報を、あらかじめ有する室内の居住環境条件に関する情報と対比させて判定し、判定結果をディスプレイ装置１０１に出力する。従って、使用者が居住する室内の環境情報が、居住者にとって、好適であるのか、不快な環境であるか、又は居住には危険な環境であるのかが、任意の時間間隔で自動的に表示されることから、部屋の居住者、特に高齢者の健康管理の一助となり、使用者の健康の維持および増進を図ることが可能となる。
特に、任意の時間間隔で使用者に対し、室内の現在の環境情報が使用者の健康に及ぼす影響に関する認識を促し、かかる影響を回避するための対策を行うことを喚起すことが可能となることから、使用者の健康の維持および増進を、より一層図ることが可能となる。
また、任意の時間間隔は、使用者が時間間隔を設定する権限を有する者（例えば、正規のＩＤおよびパスワードを入力した者）であることを制御部１０４が認証した場合のみ時間間隔を任意に設定することができるものであることから、容易に時間間隔の変更がし難くなり、居住者の安全の確保を図ることが可能となる。なお、時間間隔を設定する権限を一部の者（例えば、高齢者、幼児等を監護する者）に付与しておけば、その者のみが任意の時間間隔を設定することが可能となることから、居住者の安全の確保を、より一層図ることが可能となる。
【００６３】
また、本実施形態によれば、室内環境情報測定部１０２がディスプレイ装置１０１とは別体に設けられることで、ディスプレイ装置１０１からの発熱の影響が室内環境情報測定部１０２の動作に及ぶのを回避することが可能となる。
【００６４】
また、本実施形態によれば、室内環境情報測定部１０２に、温度測定部１２１、湿度測定部１２２、気流測定部１２３、および、検出回路１２４を設け、室内の温度、湿度、および、気流に応じた電気信号を生成することで、使用者に温熱感覚を与えるものであり且つ室内の現在の環境情報を判定する要素である、室内温度、室内湿度、および、室内気流を測定し、使用者に対し、健康管理に特に有益な情報を表示することが可能となる。
【００６５】
また、本実施形態によれば、ディスプレイ装置１０１が、室内の現在の環境情報に応じて、使用者に対し注意喚起をするために、使用者の注意を惹き易い態様による警告を行うことで、使用者に対し、室内の現在の環境情報が、使用者の健康に及ぼす影響に関する認識を、より確実に促し、かかる影響を回避するための対策を行うことを喚起すことが、より一層可能となる。
ここで、使用者の注意を惹き易い態様による警告は、例えば、室内の現在の環境情報を表示部に表示する際、通常よりも大きく表示する、音声により警告する、または、通常よりも大きく表示するとともに音声により警告する等が可能である。
【００６６】
また、本実施形態によれば、ディスプレイ装置１０１がテレビ受像機であることで、使用者は、テレビ放送を視聴しながら、迅速且つ容易に、室内の環境情報、および、室内の現在の環境情報を随時確認することが可能となる。これにより、特に高齢者である使用者に対し、自宅の部屋でテレビ放送を視聴する日常のなかで、環境情報、および、室内の現在の環境情報をテレビ受像機の画面上で常時確認し、自身の健康管理に反映させるように促すことが可能となる。
【００６７】
また、本実施形態によれば、操作部１０３がテレビ受像機のリモコン操作器に備わることで、テレビ放送の視聴と、環境情報の表示、および、室内の現在の環境情報との、それぞれの操作のために個別の機器を用意することを不要として、使い勝手の向上を図るとともに、操作が煩雑となるのを回避することが可能となる。
【００６８】
以上の説明では、室内環境情報測定部１０２、および、制御部１０４の機能を、ディスプレイ装置１０１とは別体のものとして構成される機器に持たせたが、先に述べたように、室内環境表示装置の構成は、これに限定されるものではなく、これらの機能のいずれか一方、または、双方を、ディスプレイ装置１０１自体に持たせることも可能である。
【００６９】
図６は、本考案の他の実施形態に係る室内環境表示装置１ｂの構成を示す概略図であり、室内環境情報測定部１０２をディスプレイ装置１０１に内蔵することにより、室内環境情報測定部１０２の機能をディスプレイ装置１０１に持たせた場合の一例を示す。図６（ａ）は、本実施形態に係る室内環境表示装置１ｂ全体の構成を示し、図６（ｂ）は、室内環境情報測定部１０２の構成を示す。
【００７０】
室内環境情報測定部１０２は、図１に示す先の実施形態と同様の構成である温度測定部１２１、湿度測定部１２２、気流測定部１２３、検出回路１２４、および、送受信器１２５に加え、本実施形態に特有の構成として、排気ファン１２６を備える。
温度測定部１２１、湿度測定部１２２、気流測定部１２３、検出回路１２４、および、送受信器１２５のそれぞれが有する機能、および、これら相互の関係は、ディスプレイ装置１０１の筐体１１２内部に配置される点を除き、先の実施形態と同様である。
【００７１】
排気ファン１２６は、ディスプレイ装置１０１の筐体１１２外部の空気、つまり、室内の空気を筐体１１２内部に引き込むとともに、温度測定部１２１、湿度測定部１２２、および、検出回路１２３の近傍を通過させ、その後、筐体１１２外部に排出するものである。
本実施形態において、筐体１１２には、室内の空気を導入する際の通気口となるディスプレイ前面吸気口Ｐｉｎｔが形成されるとともに、筐体１１２内部に引き込まれた空気を外部に排出する際の通気口となるディスプレイ背面排気口Ｐｅｘｔが形成される。
図６（ｂ）は、筐体１１２内部に引き込まれ、その後、外部に排出される空気の流れを、矢印Ａにより示す。なお、本実施形態において、気流測定部１２３は、筐体１１２内部に引き込まれ、外部に排出される空気の流れにより、気流Ｖの測定に影響を来さないよう、ディスプレイ前面吸気口Ｐｉｎｔ、および、ディスプレイ背面排気口Ｐｅｘｔから離れた場所に配置される。筐体１１２のディスプレイ前面には、気流測定部１２３が気流Ｖを測定し易いよう通気孔１１４を設け、この通気孔１１４を臨むように気流測定部１２３が配置される。
【００７２】
さらに、排気ファン１２６は、電動モータ一体型のものとして構成され、筐体１１２内部を通過する空気の流れに対して回路部、つまり、温度測定部１２１、湿度測定部１２２、気流測定部１２３、および、検出回路１２４の下流側、本実施形態では、ディスプレイ背面排気口Ｐｅｘｔの上流側、且つ、その近傍に配置される。排気ファン１２６は、その作動に際して室内の空気を筐体１１２内部に引き込むものであることから、空気導入ファンとして位置付けることも可能である。
【００７３】
図７は、本実施形態に係る室内環境表示装置１ｂにおける室内環境情報測定部１０２、および、制御部１０４の動作を示すフローチャートである。図７は、室内環境情報測定部１０２の動作をＳ１１〜Ｓ１３に示し、制御部１０４の動作をＳ４〜Ｓ８に示す。さらに、説明の便宜上、使用者が行う操作をＳ１に、使用者による操作の結果としてディスプレイ装置１０１が行う動作をＳ７に示す。Ｓ１〜Ｓ９のそれぞれで行う動作は、図５に示すフローチャートの対応するステップで行うのと同様である。図５に示すフローチャートとの相違点について主に説明する。
【００７４】
Ｓ１〜Ｓ２は、図５に示すフローチャートのＳ１〜Ｓ２で行うのと同様であるため、説明を省略する。なお、時間間隔の変更が不要な場合は、Ｓ１〜Ｓ２をスキップし、Ｓ３からスタートしてもよいものとする。
【００７５】
Ｓ３で使用者が操作部１０３に備わるボタン１３１を操作し、Ｓ４で制御部１０４が起動信号を受信すると、室内環境情報測定部１０２がこれに応答して、排気ファン１２６を起動する。排気ファン１２６の起動は、操作部１０３からの起動信号に同期したものであってもよいが、ディスプレイ装置１０１の起動、つまり、ディスプレイ装置１０１に対する電源の投入によるものであってもよい。
【００７６】
Ｓ１２では、室内の空気をディスプレイ装置１０１の筐体１１２内部に引き込む。これにより、温度測定部１２１、および、湿度測定部１２２の近傍を室内の空気が通過し、温度測定部１２１、および、湿度測定部１２２の状態に変化が生じる。
【００７７】
Ｓ１３では、検出回路１２３により、温度測定部１２１、湿度測定部１２２、および、気流測定部１２３それぞれの状態に応じた電気信号を生成し、これを室内の温度Ｔ、湿度Ｈ、および、気流Ｖを示す信号として出力する。
【００７８】
Ｓ５で制御部１０４が環境情報を受信すると、先の実施形態と同様に、制御部１０４において、受信された環境情報と、室内の環境情報に関する情報とを対比し、室内の現在の環境情報を判定する（Ｓ６）。しかる後、ディスプレイ装置１０１に対する指令信号を生成し（Ｓ７）、生成された指令信号を出力する（Ｓ８）。そして、ディスプレイ装置１０１が指令信号を受信すると、表示部１１１に、環境情報、室内の現在の環境情報、および、使用者に対する注意喚起のための付加情報（環境情報等）を表示する。また、ディスプレイ装置１０１のスピーカー１１３（図４参照）にて、室内の環境情報、および、上記付加情報を音声により通知する。
【００７９】
本実施形態によれば、室内環境情報測定部１０２をディスプレイ装置１０１に内蔵することで、室内環境表示装置１ｂ全体をシンプルな構成にすることが可能となる。
【００８０】
そして、室内環境情報測定部１０２だけでなく、室内環境情報測定部１０２、および、制御部１０４をディスプレイ装置１０１に内蔵した場合には、これら双方の機能をディスプレイ装置１０１に持たせることも可能である。室内環境情報測定部１０２、および、制御部１０４の双方をディスプレイ装置１０１に内蔵した場合には、室内環境表示装置１ｂ全体の構成をより簡素なものとすることが可能となる。
【００８１】
制御部１０４の機能は、ディスプレイ装置１０１に持たせることも可能である。また、先の実施形態（図１、および、図２参照）と同様に、ディスプレイ装置１０２とは別体のものとして構成される機器に持たせることも可能である。さらに、制御部１０４の機能は、制御部１０４を操作部１０３に内蔵することにより、操作部１０３に持たせることも可能である。
【００８２】
以上の説明では、制御部１０４に対する起動信号を出力する操作部１０３の機能を、テレビ受像機であるリモコン操作器に持たせているが、これに限らず、操作部１０３の機能を他の電子デバイスに持たせること、換言すれば、操作部１０３を他の電子デバイスにより具現することも可能である。例えば、特に図示しないが、操作部１０５を、スマートフォン、タブレット型等、各種携帯端末により具現することが可能である。
【符号の説明】
【００８３】
１ａ、１ｂ…室内環境表示装置
１０１…ディスプレイ装置
１０２…室内環境情報測定部
１０３…操作部
１０４…制御部
１１１…表示部
１１２…筐体
１１３…スピーカー
１１４…通気孔
１２１…温度測定部
１２２…湿度測定部
１２３…気流測定部
１２４…検出回路
１２５…送受信器
１２６…排気ファン
１４１…第１送受信器
１４２…第２送受信器
１４３…制御回路
１４４…記憶部
１４５…判定部
１４６…測定・表示作動制御部
１４７…認証部
Ｒｒ…残余領域
Ｒ１…第１領域
Ｒ２…第２領域
Ｐｉｎｔ…ディスプレイ前面吸気口
Ｐｅｘｔ…ディスプレイ背面排気口
【図１】
0003235417.tif 000003
【図２】
0003235417.tif 000004
【図３】
0003235417.tif 000005
【図４】
0003235417.tif 000006
【図５】
0003235417.tif 000007
【図６】
0003235417.tif 000008
【図７】
0003235417.tif 000009